(57)【特許請求の範囲】
【請求項１】
先端側に設けられたドリル部と、
前記ドリル部の基端側に設けられた第１パイロット部と、
前記第１パイロット部の基端側に設けられたねじ部と、
前記ねじ部の基端側に設けられた第２パイロット部と、
前記第２パイロット部の基端側に設けられたねじ頭部と、
前記第１パイロット部と前記ねじ部との間に設けられ、かつ前記第１パイロット部の外径よりも小さい外径を有した溝部と、
前記第１パイロット部と前記溝部との境界に配置される第１突起部と、
前記溝部と前記ねじ部との境界に配置される第２突起部とを備え、
前記溝部には、環状の止水部材が装着され、
前記第１突起部は、前記第１パイロット部の外径部分が、前記第１パイロット部と前記溝部との接合部分よりも基端側に突出する形状を有し、
前記第２突起部は、前記ねじ部の外径部分が、前記ねじ部と前記溝部との接合部分よりも先端側に突出する形状を有することを特徴とするドリルねじ。
【請求項２】
前記第１突起部は、前記第１パイロット部の外径部分において鋭角に尖っていることを特徴とする請求項１に記載のドリルねじ。
【請求項３】
前記第２突起部は、前記ねじ部の外径部分において鋭角に尖っていることを特徴とする請求項１または２に記載のドリルねじ。
【請求項４】
屋根上に固定具を配置するステップと、
屋根上に配置した前記固定具に設けられた穴から屋根に向かって、ドリルねじを回転させて、前記ドリルねじを屋根に取り付けることによって、屋根上に前記固定具を固定するステップと、
屋根上に固定した前記固定具に太陽電池モジュールを取り付けるステップとを備え、
前記屋根上に固定具を固定するステップでは、先端側に設けられたドリル部と、前記ドリル部の基端側に設けられた第１パイロット部と、前記第１パイロット部の基端側に設けられたねじ部と、前記ねじ部の基端側に設けられた第２パイロット部と、前記第２パイロット部の基端側に設けられたねじ頭部と、前記第１パイロット部と前記ねじ部との間に設けられ、かつ前記第１パイロット部の外径よりも小さい外径を有した溝部と、前記第１パイロット部と前記溝部との境界に配置される第１突起部と、前記溝部と前記ねじ部との境界に配置される第２突起部とを備えるドリルねじであって、前記溝部には、環状の止水部材が装着され、前記第１突起部は、前記第１パイロット部の外径部分が、前記第１パイロット部と前記溝部との接合部分よりも基端側に突出する形状を有し、前記第２突起部は、前記ねじ部の外径部分が、前記ねじ部と前記溝部との接合部分よりも先端側に突出する形状を有するドリルねじを使用することを特徴とする太陽電池モジュールの設置方法。
【請求項５】
屋根上に配置可能な固定具と、
前記固定具に設けられた穴を介して屋根に取り付けられるドリルねじと、
前記固定具に取り付けられる太陽電池モジュールとを備え、
前記ドリルねじは、
先端側に設けられたドリル部と、
前記ドリル部の基端側に設けられた第１パイロット部と、
前記第１パイロット部の基端側に設けられたねじ部と、
前記ねじ部の基端側に設けられた第２パイロット部と、
前記第２パイロット部の基端側に設けられたねじ頭部と、
前記第１パイロット部と前記ねじ部との間に設けられ、かつ前記第１パイロット部の外径よりも小さい外径を有した溝部と、
前記第１パイロット部と前記溝部との境界に配置される第１突起部と、
前記溝部と前記ねじ部との境界に配置される第２突起部とを備え、
前記溝部には、環状の止水部材が装着され、
前記第１突起部は、前記第１パイロット部の外径部分が、前記第１パイロット部と前記溝部との接合部分よりも基端側に突出する形状を有し、
前記第２突起部は、前記ねじ部の外径部分が、前記ねじ部と前記溝部との接合部分よりも先端側に突出する形状を有することを特徴とする太陽光発電装置。
【発明の詳細な説明】
【技術分野】
【０００１】
本発明は、ドリルねじに関し、特に、太陽電池モジュールを設置するためのドリルねじおよびそれを利用した太陽電池モジュールの設置方法、太陽光発電装置に関する。
【背景技術】
【０００２】
モルタル壁等にサイディングボードを取り付ける場合、一般的に、ねじが使用される。まず、コンクリートドリルを使用してモルタル壁に下穴があけられ、下穴にねじが取り付けられる。下穴を不要とするために、先端の切り刃、切り刃の基端側のパイロット部、パイロット部の基端側のねじ部、ねじ部の基端側のねじ頭部とを備えたドリルねじが使用される（例えば、特許文献１参照）。
【先行技術文献】
【特許文献】
【０００３】
【特許文献１】特開２００１−３０４２１８号公報
【発明の概要】
【発明が解決しようとする課題】
【０００４】
ドリルねじは、化粧スレート瓦屋根に太陽電池モジュールを取り付ける際にも使用される。化粧スレート瓦屋根にドリルねじをねじ込む場合に、ねじ部の回転によって化粧スレート瓦を持ち上げることがあり、クラックや割れが発生するおそれがある。また、化粧スレート瓦屋根は、一般的に野地板から空間をあけて上方に設置されている。そのような化粧スレート瓦屋根にドリルねじをねじ込むと、トルク管理ができずに、ドリルねじが入り続けてしまうので、化粧スレート瓦屋根を野地板の方に押しつけてしまうおそれがある。
【０００５】
本発明はこうした状況に鑑みてなされたものであり、その目的とするところは、ねじ込まれる部分の負担を軽減可能なドリルねじを提供することにある。
【課題を解決するための手段】
【０００６】
上記課題を解決するために、本発明のある態様のドリルねじは、先端側に設けられたドリル部と、ドリル部の基端側に設けられた第１パイロット部と、第１パイロット部の基端側に設けられたねじ部と、ねじ部の基端側に設けられた第２パイロット部と、第２パイロット部の基端側に設けられたねじ頭部と、第１パイロット部とねじ部との間に設けられ、かつ第１パイロット部の外径よりも小さい外径を有した溝部と、第１パイロット部と溝部との境界に配置される第１突起部と、溝部とねじ部との境界に配置される第２突起部とを備える。溝部には、環状の止水部材が装着され、第１突起部は、第１パイロット部の外径部分が、第１パイロット部と溝部との接合部分よりも基端側に突出する形状を有し、第２突起部は、ねじ部の外径部分が、ねじ部と溝部との接合部分よりも先端側に突出する形状を有する。
【０００７】
本発明の別の態様は、太陽電池モジュールの設置方法である。この方法は、屋根上に固定具を配置するステップと、屋根上に配置した固定具に設けられた穴から屋根に向かって、ドリルねじを回転させて、ドリルねじを屋根に取り付けることによって、屋根上に固定具を固定するステップと、屋根上に固定した固定具に太陽電池モジュールを取り付けるステップとを備える。屋根上に固定具を固定するステップでは、先端側に設けられたドリル部と、ドリル部の基端側に設けられた第１パイロット部と、第１パイロット部の基端側に設けられたねじ部と、ねじ部の基端側に設けられた第２パイロット部と、第２パイロット部の基端側に設けられたねじ頭部と、第１パイロット部とねじ部との間に設けられ、かつ第１パイロット部の外径よりも小さい外径を有した溝部と、第１パイロット部と溝部との境界に配置される第１突起部と、溝部とねじ部との境界に配置される第２突起部とを備えるドリルねじであって、溝部には、環状の止水部材が装着され、第１突起部は、第１パイロット部の外径部分が、第１パイロット部と溝部との接合部分よりも基端側に突出する形状を有し、第２突起部は、ねじ部の外径部分が、ねじ部と溝部との接合部分よりも先端側に突出する形状を有するドリルねじを使用する。
【０００８】
本発明のさらに別の態様は、太陽光発電装置である。この装置は、屋根上に配置可能な固定具と、固定具に設けられた穴を介して屋根に取り付けられるドリルねじと、固定具に取り付けられる太陽電池モジュールとを備える。ドリルねじは、先端側に設けられたドリル部と、ドリル部の基端側に設けられた第１パイロット部と、第１パイロット部の基端側に設けられたねじ部と、ねじ部の基端側に設けられた第２パイロット部と、第２パイロット部の基端側に設けられたねじ頭部と、第１パイロット部とねじ部との間に設けられ、かつ第１パイロット部の外径よりも小さい外径を有した溝部と、第１パイロット部と溝部との境界に配置される第１突起部と、溝部とねじ部との境界に配置される第２突起部とを備える。溝部には、環状の止水部材が装着され、第１突起部は、第１パイロット部の外径部分が、第１パイロット部と溝部との接合部分よりも基端側に突出する形状を有し、第２突起部は、ねじ部の外径部分が、ねじ部と溝部との接合部分よりも先端側に突出する形状を有する。
【発明の効果】
【０００９】
本発明によれば、ねじ込まれる部分の負担を軽減可能なドリルねじを提供できる。
【図面の簡単な説明】
【００１０】
【図１】図１（ａ）−（ｂ）は、本発明の実施例１に係るドリルねじの構成を示す図である。
【図２】本発明の実施例１に係る太陽電池モジュールの構成を示す斜視図である。
【図３】図３（ａ）−（ｃ）は、太陽電池モジュールの構成を示す図である。
【図４】図４（ａ）−（ｄ）は、図２の太陽光発電装置の構成を示す断面図である。
【図５】図４（ａ）−（ｃ）の固定具の構成を示す斜視図である。
【図６】図４（ｃ）、（ｄ）のくさびの構成を示す斜視図である。
【図７】図２の太陽電池モジュールを化粧スレート瓦屋根に設置する際の第１段階を示す斜視図である。
【図８】図２の太陽電池モジュールを化粧スレート瓦屋根に設置する際の第２段階を示す軒側からの斜視図である。
【図９】図２の太陽電池モジュールを化粧スレート瓦屋根に設置する際の第２段階を示す棟側からの斜視図である。
【図１０】図２の太陽電池モジュールを化粧スレート瓦屋根に設置する際の第３段階を示す軒側からの斜視図である。
【図１１】図２の太陽電池モジュールを化粧スレート瓦屋根に設置する際の第３段階を示す棟側からの斜視図である。
【図１２】本発明の実施例２に係るドリルねじの構成を示す側面図である。
【図１３】本発明の実施例３に係るドリルねじの構成を示す側面図である。
【図１４】図１４（ａ）−（ｃ）は、本発明の実施例４に係るドリルねじの構成を示す側面図である。
【図１５】本発明の実施例５に係るドリルねじの構成を示す側面図である。
【発明を実施するための形態】
【００１１】
（実施例１）
実施例を具体的に説明する前に、概要を述べる。本実施例は、化粧スレート瓦屋根へ太陽電池モジュールを設置する際に使用するドリルねじに関する。前述のごとく、化粧スレート瓦屋根は、野地板の上方に離間して設置されている。このような化粧スレート瓦屋根に太陽電池モジュールを設置する場合、太陽電池モジュール専用の固定具がドリルねじにて化粧スレート瓦屋根に固定される。具体的には、ドリルねじが、化粧スレート瓦屋根を貫通し、野地板にねじ込まれる。このようなドリルねじを化粧スレート瓦屋根に貫通させる際、ドリルねじのねじ部が回転することによって、化粧スレート瓦を持ち上げてしまうおそれがある。また、ドリルねじがねじ込まれる野地板は木材であるので、電動ドリルによるトルク管理が不可能である。そのため、電動ドリルによってドリルねじを回転させ続けると、ドリルねじは野地板にどこまでも入っていく。これによって、化粧スレート瓦屋根が野地板の方に押しつけられてしまうおそれがある。
【００１２】
これに対応するために、本実施例に係るドリルねじでは、先端のドリル部に続いてパイロット部が設けられる。パイロット部にはねじが形成されていないので、化粧スレート瓦屋根が持ち上げられる状況の発生が抑制される。また、本実施例に係るドリルねじでは、ねじ頭部の先端側にも別のパイロット部が設けられる。別のパイロット部にもねじ部がないので、別のパイロット部は、野地板に入り続けない。そのため、ドリルねじが野地板にどこまでも入っていく状況の発生も抑制される。
【００１３】
図１（ａ）−（ｂ）は、本発明の実施例１に係るドリルねじ２００の構成を示す。図１（ａ）は、ドリルねじ２００の基端側からの上面図であり、図１（ｂ）は、ドリルねじ２００の側面図である。ドリルねじ２００は、ドリル部２０２、第１パイロット部２０４、ねじ部２０６、第２パイロット部２０８、ねじ頭部２１０を含む。また、ねじ部２０６は、軸部２１４、ねじ山２１６を含み、ねじ頭部２１０は、十字溝部２１２を含む。
【００１４】
ドリル部２０２は、先端側に設けられており、切り刃を有する。なお、ドリル部２０２の形状は、図示した形状に限定されずに、対象物を切削可能な形状であればよい。ドリル部２０２は、例えば、ステンレス鋼にて形成されている。また、ドリルねじ２００の最大外径Φ１は、例えば、４．２５ｍｍにされている。第１パイロット部２０４は、ドリル部２０２の基端側に隣接して設けられる。基端側とは、先端側の逆側であり、それは、ねじ頭部２１０が設けられた部分側である。第１パイロット部２０４は、円柱形状を有し、その外径Φ１は、ドリル部２０２と同様に４．２５ｍｍにされている。また、ドリル部２０２と第１パイロット部２０４との長さＬ１は、２０．０ｍｍである。
【００１５】
ねじ部２０６は、第１パイロット部２０４の基端側に隣接して設けられる。ねじ部２０６では、第１パイロット部２０４と同じ素材径を転造することによって、軸部２１４とねじ山２１６とが形成されている。また、軸部２１４の外径Φ２は第１パイロット部２０４の外径Φ１より小さく、ねじ山２１６の外径Φ３は第１パイロット部２０４の外径Φ１より大きくなるように構成されている。一例として、ねじ山２１６の外径Φ３は、５．２ｍｍにされ、ねじ部２０６の長さＬ２は、２２．０ｍｍにされている。第２パイロット部２０８は、ねじ部２０６の基端側に隣接して設けられる。第２パイロット部２０８は、第１パイロット部２０４と同様に、外径Φ１の円柱形状を有する。また、第２パイロット部２０８の長さＬ３は、１８．０ｍｍにされている。
【００１６】
ねじ頭部２１０は、第２パイロット部２０８の基端側に連接して設けられる。ねじ頭部２１０は、第２パイロット部２０８側に円盤形状のフランジを配置し、フランジの基端側に六角柱形状の六角頭を配置する。ねじ頭部２１０には、工具にてねじ込むための図１（ａ）に示すような十字溝部２１２が刻まれている。一例として、ねじ頭部２１０の外径Φ４は、１１．０ｍｍにされ、ねじ頭部２１０の長さＬ４は、５．５ｍｍにされている。なお、ねじ頭部２１０および十字溝部２１２の形状は、図示する形状に限定されず、これら以外の形状であってもよい。
【００１７】
図２は、本発明の実施例１に係る太陽光発電装置１０００の構成を示す斜視図である。図１に示すように、ｘ軸、ｙ軸、ｚ軸からなる直角座標系が規定される。ｘ軸、ｙ軸は、化粧スレート瓦屋根１２の平面内において互いに直交する。特に、ｘ軸は、棟から軒へ向かい、ｙ軸は、棟または軒に平行に延びる。ｚ軸は、ｘ軸およびｙ軸に垂直であるので、化粧スレート瓦屋根１２の平面に垂直である。化粧スレート瓦屋根１２は、ｘ軸に沿って、つまり棟から軒に下がるように傾斜する。化粧スレート瓦屋根１２には、複数の化粧スレート瓦が敷設されている。ここで、１枚の化粧スレート瓦は、例えば、横９１０ｍｍ、縦１８２ｍｍで構成される。図１では、一例として、太陽光発電装置１０００に含まれた第１太陽電池モジュール１０ａ、第２太陽電池モジュール１０ｂ、第３太陽電池モジュール１０ｃ、第４太陽電池モジュール１０ｄが化粧スレート瓦屋根１２上に設置されている。
【００１８】
第１太陽電池モジュール１０ａ、第２太陽電池モジュール１０ｂが、軒側の太陽電池モジュール１０に相当し、第３太陽電池モジュール１０ｃ、第４太陽電池モジュール１０ｄが、棟側の太陽電池モジュール１０に相当する。太陽電池モジュール１０は、例えば、横１３６５ｍｍ、縦５４２ｍｍで構成されるので、横は化粧スレート瓦の１．５倍、縦は化粧スレート瓦の３倍のサイズに相当する。そのため、複数の太陽電池モジュール１０の４つの角のうち、いずれかが化粧スレート瓦の角に合わせられれば、太陽電池モジュール１０のつなぎ目と化粧スレート瓦のつなぎ目との関係に規則性が生じる。そのため、意匠性の低下が抑制される。
【００１９】
図３（ａ）−（ｃ）は、太陽電池モジュール１０の構成を示す。図３（ａ）は、太陽電池モジュール１０の上面図である。太陽電池モジュール１０は、棟側フレーム２２、軒側フレーム２４、短辺側フレーム３４と総称される第１短辺側フレーム３４ａ、第２短辺側フレーム３４ｂ、太陽電池パネル１１０を含む。棟側フレーム２２、軒側フレーム２４、第１短辺側フレーム３４ａ、第２短辺側フレーム３４ｂは、例えば、アルミニウム、鉄、ステンレス鋼あるいは樹脂等で形成され、押し出し成形等で作成される。棟側フレーム２２あるいは軒側フレーム２４と、短辺側フレーム３４とは、それぞれ長手方向の終点部において互いに連結されることによって、太陽電池パネル１１０が保護される。
【００２０】
太陽電池パネル１１０は、ｚ軸方向から見た場合に、棟側長辺部１４、軒側長辺部１６、第１短辺部１８、第２短辺部２０で囲まれており、略矩形に形成される。太陽電池パネル１１０では、複数の太陽電池１１２が互いに銅箔等の導電材よりなる配線材により電気的に接続される。さらに、複数の太陽電池１１２は、透光性を有する表面部材、耐侯性フィルムからなる裏面部材との間において、耐候性、耐湿性に優れたＥＶＡ（ｅｔｈｙｌｅｎｅ ｖｉｎｙｌａｃｅｔａｔｅ、エチレン酢酸ビニル）等の透光性を有する封止材により封止されている。また、配線材により直列に接続された複数の太陽電池１１２は、１単位ユニットであるストリングを構成している。各ストリング間は接続用配線により接続されている。さらに、これら太陽電池１１２からの出力を外部に引き出すための引き出し線（図示せず）が接続されている。この太陽電池１１２には、例えば、単結晶シリコンあるいは多結晶シリコンなどで構成される結晶系半導体が使用されるが、これに限るものではなく、他のタイプの太陽電池が使用されてもよい。また、図示しない端子ボックスが、太陽電池パネル１１０の裏面に設けられる。
【００２１】
図３（ｂ）は、図３（ａ）の太陽電池モジュール１０のＡ−Ａ’方向の断面図である。これは、ｘ軸に沿った断面図ともいえる。軒側フレーム２４における軒側保持部２８、棟側フレーム２２における棟側保持部２６は、太陽電池パネル１１０側に開口するような凹形形状の断面を有する。棟側保持部２６には、太陽電池パネル１１０の棟側長辺部１４が嵌め込まれ、軒側保持部２８には、太陽電池パネル１１０の軒側長辺部１６が嵌め込まれる。軒側保持部２８、棟側保持部２６の下部に、本体部３８が設けられる。また、軒側フレーム２４における本体部３８の下部に、軒側被係合部３２が設けられ、棟側フレーム２２における本体部３８の下部に、棟側被係合部３０が設けられる。軒側被係合部３２、棟側被係合部３０は、ｘ軸の正方向側に開口するような凹形形状の断面を有する。
【００２２】
図３（ｃ）は、短辺側フレーム３４の断面図である。短辺側フレーム３４は、短辺側保持部３６を備え、短辺側保持部３６には、図示しない太陽電池パネル１１０の第１短辺部１８あるいは第２短辺部２０が嵌め込まれる。また、短辺側保持部３６の下部に、本体部３８が設けられる。
【００２３】
図４（ａ）−（ｄ）は、太陽光発電装置１０００の構成を示す断面図である。図４（ａ）は、図１に示された第１太陽電池モジュール１０ａ、第３太陽電池モジュール１０ｃのｘ軸に沿った断面図である。第１太陽電池モジュール１０ａに取り付けられた軒側フレーム２４は、第１固定具４０ａに係合され、第１太陽電池モジュール１０ａに取り付けられた棟側フレーム２２は、第５固定具４０ｅに係合される。第３太陽電池モジュール１０ｃに取り付けられた軒側フレーム２４は、第５固定具４０ｅに係合され、第３太陽電池モジュール１０ｃに取り付けられた棟側フレーム２２は、第１最上段固定具４２ａに係合される。さらに、第１固定具４０ａ、第５固定具４０ｅ、第１最上段固定具４２ａは、ドリルねじ２００によって化粧スレート瓦屋根１２に固定される。
【００２４】
ここでは、図５を使用しながら、固定具４０の構成をまず説明する。図５、固定具４０の構成を示す斜視図である。ｙ軸方向において、下段面５２を挟むように、第３下側面５０ｃ、第４下側面５０ｄが配置され、上段面５４を挟むように、第１下側面５０ａ、第２下側面５０ｂが配置される。第１下側面５０ａには、第１固定用穴５６ａ、第２固定用穴５６ｂが設けられ、第２下側面５０ｂには、図示しない第３固定用穴５６ｃ、第４固定用穴５６ｄが設けられる。第１固定用穴５６ａ、第２固定用穴５６ｂ、第３固定用穴５６ｃ、第４固定用穴５６ｄのそれぞれには、前述したドリルねじ２００を貫通させることが可能である。
【００２５】
下段面５２は、第３下側面５０ｃ、第４下側面５０ｄから突出して設けられ、上段面５４は、第１下側面５０ａ、第２下側面５０ｂから突出して設けられる。下段面５２、上段面５４は、ｘ軸方向に階段形状を有する。第１軒側係合フック５８ａ、第２軒側係合フック５８ｂは、下段面５２に、互いに離間して立設される。第１軒側係合フック５８ａ、第２軒側係合フック５８ｂの先端は、ｘ軸の負方向側に屈曲している。第１軒側係合フック５８ａ、第２軒側係合フック５８ｂは、軒側の太陽電池モジュール１０の棟側被係合部３０を係合する。第１棟側係合フック６０ａ、第２棟側係合フック６０ｂは、上段面５４に、互いに離間して立設される。第１棟側係合フック６０ａ、第２棟側係合フック６０ｂも、第１軒側係合フック５８ａ、第２軒側係合フック５８ｂと同様に、ｘ軸の負方向側に屈曲している。第１棟側係合フック６０ａ、第２棟側係合フック６０ｂは、棟側の太陽電池モジュール１０の軒側被係合部３２を係合する。
【００２６】
第１嵌合穴６２ａは、上段面５４と第１下側面５０ａとの間の側面に、ｚ軸方向に長くなる形状で設けられ、第２嵌合穴６２ｂは、上段面５４と第２下側面５０ｂとの間の側面に、ｚ軸方向に長くなる形状で設けられる。第１嵌合穴６２ａ、第２嵌合穴６２ｂには、後述のくさび７６が嵌合される。これは、第１軒側係合フック５８ａ、第２軒側係合フック５８ｂに係合された軒側の太陽電池モジュール１０の離脱を防止するためである。
【００２７】
図４（ｂ）に戻る。図４（ｂ）は、図４（ａ）に示された第１固定具４０ａの近傍の断面図である。野地板９０からｚ軸の正方向に離間して、化粧スレート瓦屋根１２が配置され、化粧スレート瓦屋根１２に第１固定具４０ａが載置される。第１固定具４０ａに設けられた第１固定用穴５６ａ、第２固定用穴５６ｂを介して、ｚ軸の負方向にドリルねじ２００がねじ込まれる。ここで、ドリルねじ２００のドリル部２０２、第１パイロット部２０４は、化粧スレート瓦屋根１２、野地板９０を貫通して、野地板９０の下部に達している。第１パイロット部２０４には、軸部２１４、ねじ山２１６が形成されていないので、第１パイロット部２０４が回転しても、ｚ軸の正方向への力が働かず、化粧スレート瓦が持ち上げられる状況の発生が抑制される。また、ドリルねじ２００のねじ部２０６は、野地板９０中に固定される。このことによって、ドリルねじ２００の第２パイロット部２０８は、化粧スレート瓦屋根１２と野地板９０との間の空間、化粧スレート瓦屋根１２の中に配置される。
【００２８】
図４（ｂ）のごとく、ねじ部２０６が野地板９０中に配置されている状態において、電動ドリルでドリルねじ２００をねじ込むと、次に野地板９０に進入すべき部分が第２パイロット部２０８になる。一方、第２パイロット部２０８には、軸部２１４、ねじ山２１６が形成されていないので、第２パイロット部２０８は、野地板９０に進入するようにねじ込まれない。その結果、図４（ｂ）に示した状態から、ドリルねじ２００がｚ軸の負方向に進まない。図４（ｂ）に示したドリルねじ２００の固定を実現するために、野地板９０の厚さａと略同一の値となるように、図１に示したねじ部２０６の長さが設計される。また、化粧スレート瓦屋根１２の上面から野地板９０の上面までの距離ｂと略同一の値となるように、図１に示した第２パイロット部２０８の長さが設計される。
【００２９】
第１固定具４０ａが化粧スレート瓦屋根１２に取り付けられた状態において、軒側被係合部３２がｘ軸の正方向にスライドし、軒側被係合部３２が、第１固定具４０ａにおける棟側係合フック６０に挿入されて、両者が係合する。この係合によって、第１太陽電池モジュール１０ａが第１固定具４０ａに取り付けられる。一方、第１固定具４０ａにおける軒側係合フック５８には、棟側被係合部３０の代わりに、軒カバー４４の被係合部が係合される。
【００３０】
図４（ｃ）は、図４（ａ）に示された第５固定具４０ｅの近傍の断面図である。第５固定具４０ｅは、第１固定具４０ａと同様に化粧スレート瓦屋根１２に取り付けられる。第１太陽電池モジュール１０ａの棟側被係合部３０がｘ軸の正方向にスライドし、棟側被係合部３０が、第５固定具４０ｅにおける軒側係合フック５８に挿入されて、両者が係合する。この係合によって、第１太陽電池モジュール１０ａが第５固定具４０ｅに取り付けられる。さらに、第３太陽電池モジュール１０ｃの軒側被係合部３２がｘ軸の正方向にスライドし、軒側被係合部３２が、第５固定具４０ｅにおける棟側係合フック６０に挿入されて、両者が係合する。この係合によって、第３太陽電池モジュール１０ｃが第５固定具４０ｅに取り付けられる。
【００３１】
第１太陽電池モジュール１０ａが第５固定具４０ｅに取り付けられた状態において、第１太陽電池モジュール１０ａが、ｘ軸の負方向に移動すると、棟側被係合部３０が軒側係合フック５８から抜けてしまう。軒側係合フック５８に係合された第１太陽電池モジュールａの離脱を防止するために、第５固定具４０ｅの嵌合穴６２には、くさび７６が嵌合される。
【００３２】
ここでは、図６を使用しながら、くさび７６の構成を説明する。図６は、くさび７６の構成を示す斜視図である。くさび７６には、例えば、ステンレスバネ鋼（ＳＵＳバネ鋼）が使用される。ステンレスバネ鋼は、アルミニウムよりも強度が強いので、アルミニウムで成型する場合と比較して、強度を確保しながら厚みを薄くすることが可能である。これは、薄い材料にて成型されながらも、バネ性が大きいといえる。また、薄い材料で成型されたくさび７６の厚みを嵌合穴６２に合わせるために、くさび７６はボンネット構造を有する。なお、くさび７６は、ＳＵＳバネ鋼に限定されず、銅、鉄によって成型されてもよい。第１嵌合爪７８ａ、第２嵌合爪７８ｂは、くさび７６の下方部分において、かつ両端部に、内向きに突設される。第１嵌合爪７８ａが、固定具４０の第１嵌合穴６２ａに嵌合され、第２嵌合爪７８ｂが、固定具４０の第２嵌合穴６２ｂに嵌合されることによって、くさび７６は、固定具４０に取り付けられる。また、外側爪８０は、くさび７６の左上部分に外向きに突設され、爪受け部８２は、くさび７６の右下部分に外向きに設けられる。
【００３３】
図４（ｄ）に戻る。図４（ｄ）は、図４（ａ）に示された第１最上段固定具４２ａの近傍の断面図である。最上段固定具４２は、固定具４０と同様の構成を有するが、第１棟側係合フック６０ａ、第２棟側係合フック６０ｂを含まない。また、最上段固定具４２における下側面６６、下段面６８、軒側係合フック７０は、固定具４０の下側面５０、下段面５２、軒側係合フック５８にそれぞれ対応する。第１最上段固定具４２ａは、第１固定具４０ａ、第５固定具４０ｅと同様に化粧スレート瓦屋根１２に取り付けられる。第３太陽電池モジュール１０ｃの棟側被係合部３０がｘ軸の正方向にスライドし、棟側被係合部３０が、第１最上段固定具４２ａにおける軒側係合フック７０に挿入されて、両者が係合する。この係合によって、第３太陽電池モジュール１０ｃが第１最上段固定具４２ａに取り付けられる。
【００３４】
以上の構成のように、太陽光発電装置１０００は、固定具４０、最上段固定具４２、ドリルねじ２００、太陽電池モジュール１０を含む。固定具４０、最上段固定具４２は、化粧スレート瓦屋根１２上に配置可能であり、ドリルねじ２００は、固定具４０、最上段固定具４２に設けられた穴を介して化粧スレート瓦屋根１２に取り付けられる。また、太陽電池モジュール１０は、固定具４０、最上段固定具４２に取り付けられる。
【００３５】
次に、化粧スレート瓦屋根１２への太陽電池モジュール１０の設置方法を説明する。図７は、太陽電池モジュール１０を化粧スレート瓦屋根１２に設置する際の第１段階を示す斜視図である。設置者は、化粧スレート瓦屋根１２に対して、墨出し、つまり水平・鉛直・かね方向のチェックをしながら工事に必要な基準線を引き寸法を取る作業を実行する。特に、化粧スレート瓦の境界線に沿って固定具４０を固定すべき位置が決定される。その後、図７のごとく、第１固定具４０ａから第４固定具４０ｄが、ｙ軸方向に離間して化粧スレート瓦屋根１２に配置される。これに続いて、化粧スレート瓦屋根１２上に配置した固定具４０に設けられた穴から屋根に向かって、ドリルねじ２００を回転させて、ドリルねじ２００を化粧スレート瓦屋根１２に取り付けることによって、化粧スレート瓦屋根１２上に固定具４０が固定される。
【００３６】
図８は、太陽電池モジュール１０を化粧スレート瓦屋根１２に設置する際の第２段階を示す軒側からの斜視図である。図９は、太陽電池モジュール１０を化粧スレート瓦屋根１２に設置する際の第２段階を示す棟側からの斜視図である。化粧スレート瓦屋根１２に固定した第１固定具４０ａと第２固定具４０ｂとのそれぞれに立設された第１棟側係合フック６０ａと第２棟側係合フック６０ｂとに対して、第１太陽電池モジュール１０ａの軒側フレーム２４が係合される。その後、第１固定具４０ａと第２固定具４０ｂとのそれぞれに立設された第１軒側係合フック５８ａと第２軒側係合フック５８ｂとに対して、第１軒カバー４４ａが係合される。また、第２太陽電池モジュール１０ｂ、第２軒カバー４４ｂ、第３固定具４０ｃ、第４固定具４０ｄに対しても同様の設置がなされる。
【００３７】
第１太陽電池モジュール１０ａの棟側フレーム２２に対して、第５固定具４０ｅと第６固定具４０ｆとのそれぞれに立設された第１軒側係合フック５８ａと第２軒側係合フック５８ｂとが係合される。これによって、第５固定具４０ｅと第６固定具４０ｆとを化粧スレート瓦屋根１２に固定すべき位置が決定される。つまり、第５固定具４０ｅと第６固定具４０ｆとを固定すべき位置は、墨出しによって決定されず、第１太陽電池モジュール１０ａを使用することによって計測される。さらに、第５固定具４０ｅと第６固定具４０ｆは、決定した位置に固定される。その後、第５固定具４０ｅ、第６固定具４０ｆに対して、くさび７６が嵌合される。このようにして、化粧スレート瓦屋根１２上に固定した固定具４０に第１太陽電池モジュール１０ａが取り付けられる。なお、第７固定具４０ｇ、第８固定具４０ｈ、第２太陽電池モジュール１０ｂに対しても同様の設置がなされる。
【００３８】
図１０は、太陽電池モジュール１０を化粧スレート瓦屋根１２に設置する際の第３段階を示す軒側からの斜視図である。図１１は、太陽電池モジュール１０を化粧スレート瓦屋根１２に設置する際の第３段階を示す棟側からの斜視図である。固定した第５固定具４０ｅと第６固定具４０ｆに立設された第１棟側係合フック６０ａと第２棟側係合フック６０ｂとに対して、第３太陽電池モジュール１０ｃの軒側フレーム２４が係合される。また、第４太陽電池モジュール１０ｄ、第７固定具４０ｇ、第８固定具４０ｈに対しても同様の設置がなされる。
【００３９】
第３太陽電池モジュール１０ｃの棟側フレーム２２に対して、第１最上段固定具４２ａと第２最上段固定具４２ｂとのそれぞれに立設された第１軒側係合フック７０ａと第２軒側係合フック７０ｂとが係合される。これによって、第１最上段固定具４２ａと第２最上段固定具４２ｂとを化粧スレート瓦屋根１２に固定すべき位置が決定され、第１最上段固定具４２ａと第２最上段固定具４２ｂは、決定した位置に固定される。なお、第４太陽電池モジュール１０ｄ、第３最上段固定具４２ｃ、第４最上段固定具４２ｄに対しても同様の設置がなされる。
【００４０】
本実施例によれば、第１パイロット部、ねじ部、第２パイロット部の順に配置させるので、ねじ部に先行して第１パイロット部によって化粧スレート瓦に貫通孔を生成できる。また、ねじ部の通過前に貫通孔が生成されるので、ねじ部によって化粧スレート瓦が持ち上がることを抑制できる。また、化粧スレート瓦が持ち上がることが抑制されるので、化粧スレート瓦屋根にクラックや割れが発生することを抑制できる。また、クラックや割れが発生することが抑制されるので、化粧スレート瓦屋根の防水性を維持できる。また、第１パイロット部、ねじ部、第２パイロット部の順に配置させるので、ねじ部に続いて配置された第２パイロット部によって、ドリルねじがねじ込まれすぎる状況の発生を抑制できる。
【００４１】
また、ドリルねじがねじ込まれすぎる状況の発生が抑制されるので、化粧スレート瓦屋根を野地板の方に押しつけてしまうことを防止できる。また、化粧スレート瓦屋根を野地板の方に押つけられないので、ねじ込まれる部分である化粧スレート瓦屋根の負担を軽減できる。また、そのようなドリルねじを太陽電池モジュールの設置に使用するので、太陽電池モジュールが設置される化粧スレート瓦屋根の負担を軽減できる。また、そのようなドリルねじを使用するので、化粧スレート瓦屋根の負担を軽減可能な太陽光発電装置を提供できる。
【００４２】
また、階段形状の下段面と上段面のそれぞれに、軒側係合フックと棟側係合フックとが立設されるので、軒側の太陽電池モジュールと棟側の太陽電池モジュールとの間隔を近づけることができる。また、軒側の太陽電池モジュールと棟側の太陽電池モジュールとの間隔が近づけられるので、意匠性を向上できる。また、軒側の太陽電池モジュールと棟側の太陽電池モジュールとの間隔が近づけられるので、設置可能な太陽電池モジュールの数を増加できる。また、くさびを嵌合する嵌合穴を備えるので、太陽電池モジュールの離脱を防止できる。
【００４３】
また、既に固定具に固定した太陽電池モジュールを使用して、次に設置すべき固定具の位置を決めるので、次に設置すべき固定具に対する墨出しを省略できる。また、次に設置すべき固定具に対する墨出しが省略されるので、太陽電池モジュールの設置を容易にできる。また、太陽電池モジュールを設置する際に、太陽電池フレームと固定具とをねじを用いて固定しないので、太陽電池モジュールの設置を容易にできる。
【００４４】
一態様の概要は、次の通りである。ある態様のドリルねじ２００は、
先端側に設けられたドリル部２０２と、
ドリル部２０２の基端側に設けられた第１パイロット部２０４と、
第１パイロット部２０４の基端側に設けられたねじ部２０６と、
ねじ部２０６の基端側に設けられた第２パイロット部２０８と、
第２パイロット部２０８の基端側に設けられたねじ頭部２１０と、を備える。
【００４５】
別の態様は、太陽電池モジュール１０の設置方法である。この方法は、
化粧スレート瓦屋根１２上に固定具４０を配置するステップと、
化粧スレート瓦屋根１２上に配置した固定具４０に設けられた穴から化粧スレート瓦屋根１２に向かって、ドリルねじ２００を回転させて、ドリルねじ２００を化粧スレート瓦屋根１２に取り付けることによって、化粧スレート瓦屋根１２上に固定具４０を固定するステップと、
化粧スレート瓦屋根１２上に固定した固定具４０に太陽電池モジュール１０を取り付けるステップとを備える。
化粧スレート瓦屋根１２上に固定具４０を固定するステップでは、先端側に設けられたドリル部２０２と、ドリル部２０２の基端側に設けられた第１パイロット部２０４と、第１パイロット部２０４の基端側に設けられたねじ部２０６と、ねじ部２０６の基端側に設けられた第２パイロット部２０８と、第２パイロット部２０８の基端側に設けられたねじ頭部２１０とを備えるドリルねじ２００を使用する。
【００４６】
さらに別の態様は、太陽光発電装置１０００である。この装置は、
化粧スレート瓦屋根１２上に配置可能な固定具４０と、
固定具４０に設けられた穴を介して化粧スレート瓦屋根１２に取り付けられるドリルねじ２００と、
固定具４０に取り付けられる太陽電池モジュール１０とを備える。
ドリルねじ２００は、先端側に設けられたドリル部２０２と、ドリル部２０２の基端側に設けられた第１パイロット部２０４と、第１パイロット部２０４の基端側に設けられたねじ部２０６と、ねじ部２０６の基端側に設けられた第２パイロット部２０８と、第２パイロット部２０８の基端側に設けられたねじ頭部２１０と、を備える。
【００４７】
（実施例２）
次に実施例２を説明する。実施例２は、実施例１と同様に、化粧スレート瓦屋根へ太陽電池モジュールを設置する際に使用するドリルねじに関する。化粧スレート瓦屋根では防水対策として、一般的に、化粧スレート瓦の間に防水シートを敷いている。実施例２では、防水能力をさらに高めることを目的とする。実施例２に係るドリルねじは、実施例１と同様に、第１パイロット部と第２パイロット部とを設ける。さらに、当該ドリルねじには、第１パイロット部とねじ部との間に、第１パイロット部の外径よりも小さい外径を有した溝部が設けられる。また、溝部には、止水部材が装着されている。ドリルねじを化粧スレート瓦屋根に固定した場合、第１パイロット部は、野地板の下に位置するので、止水部材も野地板の下に位置することになる。そのため、野地板の外部から屋内へ水分が進入することが防止され、防水能力がさらに高まる。実施例２に係る太陽光発電装置１０００は、図２から図１１と同様のタイプである。ここでは、差異を中心に説明する。
【００４８】
図１２は、本発明の実施例２に係るドリルねじ２００の構成を示す側面図である。ドリルねじ２００は、ドリル部２０２、第１パイロット部２０４、ねじ部２０６、第２パイロット部２０８、ねじ頭部２１０、溝部２２０、止水部材２２２を含む。また、ねじ部２０６は、軸部２１４、ねじ山２１６を含む。
【００４９】
ドリル部２０２、第１パイロット部２０４は、実施例１と同様に形成される。溝部２２０は、第１パイロット部２０４の基端側に設けられる。溝部２２０は、第１パイロット部２０４と同様に、円柱形状を有するが、その外径は、第１パイロット部の外径よりも小さくされる。また、ドリル部２０２、第１パイロット部２０４、溝部２２０を合わせた長さが、前述の長さＬ１にされる。
【００５０】
止水部材２２２は、ドリル部２０２、第１パイロット部２０４の回転によって野地板９０に形成された貫通孔を雨水等の水分が通過することを防ぐために、溝部２２０に装着される。溝部２２０は、環状の形状を有しており、その内径は、溝部２２０の外径に適合するように設計される。また、止水部材２２２の外径は、第１パイロット部２０４の外径以上になるように設計される。このような止水部材２２２は、シールまたはパッキンともよばれる。止水部材２２２は、例えば、ゴムによって生成されるが、それ以外の材料で生成されてもよい。ねじ部２０６は、溝部２２０の基端側に隣接して設けられる。
【００５１】
本実施例によれば、第１パイロット部とねじ部との間に、第１パイロット部の外径よりも小さい外径を有した溝部が備えられ、溝部には、止水部材が装着されるので、防水能力を向上できる。
【００５２】
一態様の概要は、次の通りである。第１パイロット部２０４とねじ部２０６との間に、かつ第１パイロット部２０４の外径よりも小さい外径を有した溝部２２０をさらに備えてもよい。溝部２２０には、環状の止水部材２２２が装着されてもよい。
【００５３】
（実施例３）
次に実施例３を説明する。実施例３は、これまでと同様に、化粧スレート瓦屋根へ太陽電池モジュールを設置する際に使用するドリルねじに関する。実施例２に係るドリルねじは、防水能力をさらに高めることを目的として、第１パイロット部とねじ部との間に、第１パイロット部の外径よりも小さい外径を有した溝部が設けられ、溝部には、止水部材が装着されている。このようなドリルねじが、化粧スレート瓦屋根、野地板にねじ込まれる場合、それらとの間の摩擦抵抗によって止水部材が基端の方にずれるおそれがある。実施例３は、止水部材が溝部からずれて外れることを防止することを目的とする。これに対応するために、実施例３に係るドリルねじの第１パイロット部と溝部の境界は、すり鉢形状を有する。また、ねじ部と溝部の境界もすり鉢形状を有する。実施例３に係る太陽光発電装置１０００は、図２から図１１と同様のタイプである。ここでは、差異を中心に説明する。
【００５４】
図１３は、本発明の実施例３に係るドリルねじ２００の構成を示す側面図である。ドリルねじ２００は、ドリル部２０２、第１パイロット部２０４、ねじ部２０６、第２パイロット部２０８、ねじ頭部２１０、溝部２２０、止水部材２２２、第１突起部２２４、第２突起部２２６を含む。また、ねじ部２０６は、軸部２１４、ねじ山２１６を含む。ドリル部２０２は、実施例１と同様に形成される。
【００５５】
第１パイロット部２０４と溝部２２０との境界は、第１パイロット部２０４の外径部分が、第１パイロット部２０４と溝部２２０との接合部分よりも基端側に突出するようなすり鉢形状に形成される。すり鉢形状において突出した部分が、第１突起部２２４である。このような第１突起部２２４は、第１パイロット部２０４の外径部分において鋭角に尖っている。第１突起部２２４が、外径部分において鋭角に尖っているので、止水部材２２２が化粧スレート瓦屋根１２、野地板９０を通過する際の摩擦抵抗が低減し、止水部材２２２が基端の方にずれることが抑制される。
【００５６】
また、溝部２２０とねじ部２０６との境界では、第１パイロット部２０４と溝部２２０との境界とは反対向きに、第２突起部２２６が形成される。第２突起部２２６が、外径部分において鋭角に尖っているので、止水部材２２２が化粧スレート瓦屋根１２、野地板９０を通過する際に止水部材２２２が基端の方にずれることがあっても、止水部材２２２が第２突起部２２６に刺さって削られる。削られた止水部材２２２が化粧スレート瓦屋根１２、野地板９０、図示しない防水シートに付着するので、化粧スレート瓦屋根１２、野地板９０、図示しない防水シートの防水能力が向上される。
【００５７】
本実施例によれば、第１パイロット部と溝部の境界がすり鉢形状を有しているので、止水部材が化粧スレート瓦屋根等を通過する際の摩擦抵抗を低減し、止水部材が基端の方にずれることを抑制できる。また、ねじ部と溝部の境界も基端側に突出したすり鉢形状を有しているので、止水部材が削られて、化粧スレート瓦屋根等の防水能力を向上できる。
【００５８】
（実施例４）
次に実施例４を説明する。実施例４は、これまでと同様に、化粧スレート瓦屋根へ太陽電池モジュールを設置する際に使用するドリルねじに関する。実施例２、３に係るドリルねじは、防水能力をさらに高めることを目的として、第１パイロット部とねじ部との間に、第１パイロット部の外径よりも小さい外径を有した溝部が設けられ、溝部には、パッキン等の止水部材が装着されている。実施例４も、実施例２、３と同様に止水部材が装着されるが、止水部材の装着方法が実施例２、３とは異なる。実施例４に係る太陽光発電装置１０００は、図２から図１１と同様のタイプである。ここでは、差異を中心に説明する。
【００５９】
図１４（ａ）−（ｃ）は、本発明の実施例４に係るドリルねじ２００の構成を示す側面図である。図１４（ａ）は、図１２に示したドリルねじ２００と同様であるが、止水部材２２２が装着されていない。図１４（ｂ）は、止水材２５０がためられた容器に、ドリルねじ２００がドリル部２０２からつけられた状態を示す。止水材２５０は、前述の止水部材２２２と同様の材料で構成されているが、固体状ではなく、液体状あるいは半液体状となっている。ドリルねじ２００は、一定期間にわたって、止水材２５０がためられた容器につけられる。図１４（ｃ）は、図１４（ｂ）に続く状態であり、かつ止水材２５０がためられた容器から、ドリルねじ２００から抜き出された状態を示す。ドリルねじ２００のドリル部２０２、第１パイロット部２０４、溝部２２０の表面に付着した止水材２５０が、自然乾燥によって固体状に転移して、止水部材２５２となる。第１パイロット部２０４の外径よりも小さい外径を有した溝部２２０が配置されているので、第１パイロット部２０４よりも多い量の止水部材２５２が溝部２２０に付着され、止水能力が向上する。
【００６０】
本実施例によれば、液体状あるいは半液体状の止水材を付着させてから自然乾燥させることによって、ドリルねじ２００の表面に止水部材を装着させるので、止水部材の表面積を拡大できる。また、止水部材の表面積が拡大するので、防水能力を向上できる。
【００６１】
（実施例５）
次に実施例５を説明する。実施例５は、これまでと同様に、ドリルねじに関する。これまでは、野地板の上方に配置された化粧スレート瓦屋根に固定具を固定するために、ドリルねじを使用している。さらに、このような使用に適するように、これまでのドリルねじでは、ねじ部を挟んで第１パイロット部と第２パイロット部とが配置されている。一方、実施例５では、野地板と化粧スレート瓦屋根とが離間して積層された構成以外の構成にも適したドリルねじを提供することを目的とする。
【００６２】
図１５は、本発明の実施例５に係るドリルねじ３００の構成を示す側面図である。ドリルねじ３００は、ドリル部３０２、第１パイロット部３０４、第１ねじ部３０６、第２ねじ部３０８、第２パイロット部３１０、ねじ頭部３１４を含む。ドリル部３０２、第１パイロット部３０４、第１ねじ部３０６、第２パイロット部３１０、ねじ頭部３１４は、ドリル部２０２、第１パイロット部２０４、ねじ部２０６、第２パイロット部２０８、ねじ頭部２１０と同様である。
【００６３】
第３パイロット部３１２は、第１ねじ部３０６の基端側に隣接して設けられる。第３パイロット部３１２は、第１パイロット部３０４、第２パイロット部３１０と同様に形成されるが、その長さは、ドリルねじ３００の使用形態に適合するように決定される。第２ねじ部３０８は、第３パイロット部３１２の基端側に隣接して設けられる。第２ねじ部３０８は、第１ねじ部３０６と同様に形成されるが、その長さは、ドリルねじ３００の使用形態に適合するように決定される。このように、第１ねじ部３０６と第２ねじ部３０８との間に、第３パイロット部３１２が設けられる。
【００６４】
本実施例によれば、３つ以上のねじ部がパイロット部を挟みながら配置されるので、さまざまな構成を有したものへの固定に適したドリルねじを提供できる。
【００６５】
一態様の概要は、次の通りである。ねじ部を形成する第１ねじ部３０６と第２ねじ部３０８との間に設けられた第３パイロット部３１２をさらに備えてもよい。
【００６６】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００６７】
本実施例１、２において、ドリルねじ２００は、太陽電池モジュール１０を化粧スレート瓦屋根１２に固定するために使用される。しかしながらこれに限らず例えば、ドリルねじ２００は、それ以外の用途に使用されてもよい。本変形例によれば、ドリルねじ２００の適用範囲を拡大できる。
【００６８】
本実施例１、２は、太陽電池モジュール１０は、固定具４０、ドリルねじ２００を使用して化粧スレート瓦屋根１２に固定される。しかしながらこれに限らず例えば、太陽電池モジュール１０を化粧スレート瓦屋根１２に固定する場合、固定具４０以外の器具が使用されてもよい。一例として、アンカー方式、スレート方式、金属屋根方式、建材一体型方式、支持金具方式、縦桟方式、横桟方式、支持瓦方式、差込み方式が使用され、その際にドリルねじ２００が使用されてもよい。その他、和瓦等の陶器瓦が搭載される野地板や、金属横葺きや瓦棒、折板等が搭載される金属屋根、アスファルトシングル材等にもドリルねじ２００が使用できる。本変形例によれば、ドリルねじ２００の適用範囲を拡大できる。
【００６９】
本実施例１において、ドリルねじ２００の各構成要素の寸法を示している。しかしながらこれに限らず例えば、別の寸法であってもよい。本変形例によれば、ドリルねじ２００の適用範囲を拡大できる。
【符号の説明】
【００７０】
２００  ドリルねじ、  ２０２  ドリル部、  ２０４  第１パイロット部、  ２０６  ねじ部、  ２０８  第２パイロット部、  ２１０  ねじ頭部、  ２１２  十字溝部、  ２１４  軸部、  ２１６  ねじ山。
【図１】
0006429006.tif 000002
【図２】
0006429006.tif 000003
【図３】
0006429006.tif 000004
【図４】
0006429006.tif 000005
【図５】
0006429006.tif 000006
【図６】
0006429006.tif 000007
【図７】
0006429006.tif 000008
【図８】
0006429006.tif 000009
【図９】
0006429006.tif 000010
【図１０】
0006429006.tif 000011
【図１１】
0006429006.tif 000012
【図１２】
0006429006.tif 000013
【図１３】
0006429006.tif 000014
【図１４】
0006429006.tif 000015
【図１５】
0006429006.tif 000016